(57)【要約】  本発明は、複数の照明素子１０を備える照明デバイスに関し、照明デバイスが、施設から感覚的刺激を受信する少なくとも１つのセンサ３と、制御手段２が、取り込まれ、処理された情報に応じて、前記照明素子１０に対して照明管理指示を送信するように、前記少なくとも１つのセンサ３と接続され、前記照明素子１０と接続された前記制御手段２とを備えることを特徴としている。本発明はまた、照明システムを管理するための方法に関する。本発明は、例えば、より多くの人々がいる、施設のエリアを、又はより多くの注意が必要とされるが、多くの場合に十分には訪問されないエリアをより強い強度で照らすことにより、インテリジェントなやり方で、或いは実施された感覚的メトリクス又は他の独立したビジネス規則によって提供される情報に応じて任意の他の適切なやり方で、照明を管理することを可能にする。
2016510492.tif 000002
【特許請求の範囲】
【請求項１】
複数の照明素子（１０）を備える照明デバイスであって、
施設の感覚的刺激を受信する少なくとも１つのセンサ（３）と、
制御手段（２）が、取り込まれ、処理された情報に応じて、前記照明素子（１０）に対して照明管理指示を送信するように、前記少なくとも１つのセンサ（３）と接続され、前記照明素子（１０）と接続された前記制御手段（２）と
を備えることを特徴とする照明デバイス。
【請求項２】
前記少なくとも１つのセンサ（３）は、前記施設の中に位置している複数のモバイル・デバイスから情報を受信するアンテナ、及び／又は、温度、湿度、サウンド及び／又は光度のセンサ、及び／又は、前記制御手段（２）に接続されたカメラである、請求項１に記載の照明デバイス。
【請求項３】
前記制御手段（２）に接続された１つ又はいくつかのビデオ・カメラをさらに備える、請求項１又は２に記載の照明デバイス。
【請求項４】
前記制御手段（２）に接続されたブルートゥース（Ｂｌｕｅｔｏｏｔｈ（登録商標））・アンテナをさらに備える、請求項１から３までのいずれか一項に記載の照明デバイス。
【請求項５】
前記制御手段（２）は、照明コントローラ（４）を通して前記複数の照明素子（１０）に接続されている、請求項１に記載の照明デバイス。
【請求項６】
前記制御手段（２）は、データの入力及び出力のための手段（２４、２５）を備える、請求項１に記載の照明デバイス。
【請求項７】
データの入力及び出力のための前記手段は、メモリ・カード・リーダ（２５）及び／又はＵＳＢポート（２４）である、請求項６に記載の照明デバイス。
【請求項８】
前記制御手段（２）は、マイクロプロセッサ（２０）を備える、請求項１に記載の照明デバイス。
【請求項９】
前記複数の照明素子（１０）は、前記照明素子（１０）によって引き起こされる熱を放散するためのヒート・シンク（１１）と、前記照明素子（１０）が位置しているプリント回路基板（１３）と、前記照明素子（１０）によって放出される光が通過する光学素子（１４）とを備える照明モジュール（４）の中に配置される、請求項１に記載の照明デバイス。
【請求項１０】
前記照明コントローラ（４）は、出力の電流又は電圧を構成する変換器（４４）を備える、請求項５に記載の照明デバイス。
【請求項１１】
前記照明コントローラ（４）は、マイクロスイッチ（４１）を備える、請求項５に記載の照明デバイス。
【請求項１２】
前記照明素子（１０）は、発光ダイオードである、請求項１から１１までのいずれか一項に記載の照明デバイス。
【請求項１３】
前記少なくとも１つのセンサ（３）と、前記制御手段（２）とは、ケーシングの中に収納される、請求項１から１２までのいずれか一項に記載の照明デバイス。
【請求項１４】
前記少なくとも１つのセンサ（３）は、それに関連するＵＳＢコントローラを備える、請求項１又は１０に記載の照明デバイス。
【請求項１５】
照明システムを管理するための方法であって、
感覚的刺激を検出するステップと、複数の対応する信号を発生するステップと、
データベースに対して前記信号を送信するステップと、
報告、相互関係及び／又はパターンを生成するように前記データベースに対して送信されたすべての前記信号を統合するステップと、
前記取得された報告、相互関係及び／又はパターンに応じて前記照明システムにおいて１つ又はいくつかのアクションを実行するステップと
を含むことを特徴とする、照明システムを管理するための方法。
【請求項１６】
感覚的刺激の前記検出は、複数のユーザの存在をワイヤレスに検出することを含む、請求項１５に記載の照明システムを管理するための方法。
【請求項１７】
前記照明システムにおいて実行される前記アクションは、
照明をオン／オフにすること、
光度を変更すること、
照明のカラーを変更すること、及び／又は
変調されたやり方で、照明のパターンを変更すること
を含むグループから選択される、請求項１５に記載の照明システムを管理するための方法。
【請求項１８】
感覚的刺激の前記検出は、温度、湿度、ノイズ・レベル、輝度レベル、移動する物体又は人々からの距離、又は外部のイベントを検出することを含んでおり、これらが、また、前記データベースに対して送信され、且つ、前記報告、前記相互関係、又は前記パターンを生成するように統合される複数の対応する信号を発生する、請求項１５又は１６に記載の照明システムを管理するための方法。
【請求項１９】
複数のユーザの存在をワイヤレスに検出することは、ワイファイ（ＷｉＦｉ（登録商標））又はブルートゥース（Ｂｌｕｅｔｏｏｔｈ（登録商標））を用いて実行される、請求項１６に記載の照明システムを管理するための方法。
【請求項２０】
人間の移動マップは、前記データベースに対して送信されたすべての前記信号を統合することに基づいて、生成される、請求項１５に記載の照明システムを管理するための方法。
【請求項２１】
照明ポイント・マップは、前記データベースに対して送信されたすべての前記信号を統合することに基づいて、生成される、請求項１８に記載の照明システムを管理するための方法。
【請求項２２】
ノイズ・レベル・マップは、前記データベースに対して送信されたすべての前記信号を統合することに基づいて、生成される、請求項１８に記載の照明システムを管理するための方法。
【請求項２３】
温度マップは、前記データベースに対して送信されたすべての前記信号を統合することに基づいて、生成される、請求項１８に記載の照明システムを管理するための方法。
【請求項２４】
前記データベースに対して送信されたすべての前記信号を統合する前記ステップは、時間において前記信号を同期させることを含む、請求項１５に記載の照明システムを管理するための方法。
【発明の詳細な説明】
【技術分野】
【０００１】
本発明は、モバイル・デバイスから、且つ／又はセンサから到来するデータに基づいて、施設の照明を管理することを可能とする照明デバイスに関する。
【０００２】
本発明はまた、モバイル・デバイス及び／又はセンサから受信されるデータに基づいて、照明システムを管理するための方法にも関する。
【背景技術】
【０００３】
その使用に応じてすべてのエリアを正しく照らす照明システムの使用は、営業所などの施設の中で必要である。それゆえに、強調されるべきエリア、又はより多くの数の訪問者を有するものと見なされるエリアは、通常、より強い強度で照らされる。
【０００４】
前記施設における照明は、製品又はサービスが提供され、また特定の経路を通して人々を誘導する目的のための、これらの場所の上でより強く強調された、全体の作業面を対象として含んでいる。
【０００５】
それゆえに、照明システムの最も一般的な目的は、公共の空間、又は私的な空間の使用を有利にすることであり、前記空間のユーザの経験を改善し、その中で提供されるサービスの有用性を強調している。
【０００６】
実際に、これらの営業所における、また特に、これらの営業所のおのおのの異なるポイントにおける顧客の経験は、光度、そのカラー、そのビーム、及びその色の再現によって非常に条件付けられるが、サウンド、温度、周囲の湿度など、他のファクタによっても影響を受ける。
【０００７】
しかしながら、それらの戦略的なロケーションにもかかわらず、従来の照明システムは、どのようなやり方でも測定することなしに、単に発光体としての機能を果たすにすぎず、どのようなものであれ、それらがインストールされるポイントにおける経験は、自動的に、又は手動で顧客の経験を変換する決定を行い、それを改善し、或いは前記空間の背後の論理的根拠に、また各瞬間の特定の状態にそれを適応させるという機会を失っている。
【０００８】
他方では、今日、ビジネスにおいては、データを使用して、会社の結果を条件付けるアクティビティ又はファクタを分析することが、一般的である。例えば、営業所における製品についてのユーザの好ましい選択が、今日では知られている可能性があり、また決定が、前記データに応じて行われる可能性があり、例えば、販売されるべき、又は売り出されるべき品物の配列などを変更している。
【０００９】
かなりのデータが、ビジネスの結果における重要なファクタのうちのいくつかについて使用可能であるにもかかわらず、営業所における顧客の感覚的経験を表すデータは、すなわち、照明レベルと、空間を占有している人々の数と、店の中のエリアによる配列と、各ポイントにおけるサウンド・レベルと、温度と、湿度などとは、今日では、使用可能ではない。
【００１０】
したがって、その戦略的ロケーションを利用して、統合的なやり方で、感覚的証拠を取得することを可能にする照明デバイスについての必要があることが、明らかであり、これは、販売のポイントにおいて、経験を作り上げる基本的なファクタを理解することを可能にしており、実際のワイヤレスに取得されたデータに応じて、営業所などの施設の照明を管理するためのメカニズムを提供している。
【００１１】
照明デバイスと、管理する方法は、それゆえに、感覚的証拠を収集し、特に光度を測定し、温度及び湿度を測定し、周囲のサウンドを測定し、彼らのモバイル電話又は他のデバイスから到来する無線信号を手段として取り込むことにより、施設の中に存在する人々の数を推定し、人々の物理的存在と、彼らの経路とを識別するためのカメラを使用するために、容量を組み込む必要がある。
【００１２】
照明デバイスと、管理する方法は、施設が位置している町における天候、屋外の温度及び湿度、すべての時間において行われる販売など、他の決定的な情報を収集すること、並びに正確に同じ時間パターンの下で、照明デバイスによって収集されるデータと、この情報を組み合わせることができるメカニズムによって補完されるであろう。
【発明の概要】
【発明が解決しようとする課題】
【００１３】
したがって、本発明の第１の目的は、同期されたやり方で、述べられた感覚的証拠を取り込むこと、施設の所有者らのための価値のあるデータを生成すること、及び同時に、獲得されたメトリクスとリンクされ、又はリンクされていないビジネス規則に従って、インテリジェントな照明管理を可能とすることを可能にする照明デバイスと管理する方法とを提供することである。さらに、本発明の第２の目的は、それが必要とすることになる明らかな経済的利点とともに、従来の照明器具におけるモジュールを単に接続することにより、本発明の照明デバイスへと従来の照明器具を簡単に変換することを可能にすることである。
【００１４】
本発明の照明デバイスと、管理する方法とは、述べられた欠点を成功裏に解決しており、以下で説明されることになる他の利点を有している。
【課題を解決するための手段】
【００１５】
本発明の照明デバイスは、複数の照明素子を備え、
−  施設から感覚的刺激を受信するセンサと、例えば、前記施設の中に位置している複数の電子デバイス（モバイル、コンピュータ、タブレットなど）から情報を受信するアンテナと、
−  制御手段が、取り込まれた感覚的メトリクス、又は使用可能な他の決定的なデータ（時間帯、屋外の温度及び湿度、平均メトリクス、傾向など）に基づいて、ネットワークから受信される情報に応じて、前記照明素子に対して照明管理指示を送信するように、前記少なくとも１つのセンサと、前記照明素子と接続された前記制御手段と
を備えることを特徴としている。
【００１６】
さらに、本発明のデバイスは、温度センサ及び湿度センサ、光度センサ、デジタル・カメラなど、他のセンサを備えることができる。
【００１７】
この特徴の結果として、照明は、インテリジェントなやり方で、例えば、より多くの人々がいる施設のエリア、又はより大きな注意が必要とされるが多くの場合に十分には訪問されないエリアをより強い強度で照らすことにより、或いは実施された感覚的メトリクスによって提供される情報、又は他の独立したビジネス規則に応じて、どのような他の適切なやり方でも、成功裏に管理される。
【００１８】
順に、本発明の結果として、非常に関連のあるデータが、照明素子がそれらのタスクを実行する環境において提供される経験を理解することを可能にする完全に同期化されたやり方で、取り込まれる。
【００１９】
有利には、前記制御手段は、照明コントローラを通して前記複数の照明素子に接続される。
【００２０】
好ましい実施例によれば、前記制御手段は、例えば、メモリ・カード・リーダ及び／又はＵＳＢポートなど、データ入力及びデータ出力のための手段、或いは任意の適切な要素を備える。
【００２１】
前記制御手段は、マイクロプロセッサを備えることが好ましく、前記複数の照明素子は、前記照明素子によって引き起こされる熱を放散するためのヒート・シンクと、照明素子が位置しているプリント回路基板と、前記照明素子によって放出される光が通過する光学素子とを備える照明モジュールの中に配置される。
【００２２】
好ましい実施例によれば、前記照明コントローラは、マイクロコントローラからのコマンドに応じて、強度又は電圧を、それに応じて照明を調整する変換器を備える。
【００２３】
前記照明素子の前記コントローラは、マイクロスイッチを備えることが好ましく、前記照明素子は、発光ダイオードである。
【００２４】
有利には、前記少なくとも１つのセンサと、制御手段とは、ケーシングの中に収納される。それゆえに、１つ又は複数のセンサと、その中の制御手段とを備える前記ケーシングは、それが表すそれに続く経済的節約とともに、また非常に単純なやり方で、本発明のデバイスへと従来の照明器具を変換することができる利点とともに、照明素子を含む従来の照明器具に接続されている可能性がある。
【００２５】
この場合には、本発明のデバイスは、前記ケーシングの中の１つ又は複数のセンサと、制御手段とにより、また従来の照明器具の照明素子により、形成されることになる。
【００２６】
必要に応じて、１つ又は複数のセンサは、ＵＳＢコントローラに関連づけられる可能性がある。
【００２７】
第２の態様によれば、本発明の照明システムを管理するための方法は、
−  感覚的刺激を検出するステップと、複数の対応する信号を発生するステップと、
−  データベースに対して前記信号を送信するステップと、
−  報告、相互関係及び／又はパターンを生成するように前記データベースに対して送信されるすべての信号を統合するステップと、
−  取得された報告、相互関係及び／又はパターンに応じて照明システムに対して１つ又はいくつかのアクションを実行するステップと
を含むことを特徴としている。
【００２８】
有利には、照明システムに対して実行されるアクションは、
−  照明をオン／オフにすること、
−  光度を変更すること、
−  照明のカラーを変更すること、及び／又は
−  変調されたやり方で、照明のパターンを変更すること
を含む。
【００２９】
本発明による、照明システムを管理するための方法においては、感覚的刺激を検出するステップは、施設における人々の存在、温度、湿度、ノイズ・レベル、輝度レベル、移動する物体又は人々からの距離、或いは外部のイベントをワイヤレスに検出することを含んでいることが好ましく、これらはまた、前記データベースに対して送信され、また前記報告、前記相互関係、又は前記パターンを生成するように統合される複数の対応する信号を発生する。
【００３０】
好ましい一実施例によれば、複数のユーザの存在をワイヤレスに検出することは、ワイファイ（ＷｉＦｉ（登録商標））又はブルートゥース（ｂｌｕｅｔｏｏｔｈ（登録商標））を用いて実行される。
【００３１】
有利には、人間の移動マップ、照明ポイント・マップ、ノイズ・レベル・マップ、及び／又は温度マップは、前記データベースに対して送信されるすべての信号を統合することに基づいて、生成される。
【００３２】
さらに、前記データベースに対して送信されるすべての信号を統合するステップは、時間とともに前記信号を同期化させることを含んでいる。
【００３３】
本発明の方法は、以下の利点を、すなわち、
−  照明に関するユーザの経験を調整すること、
−  リアル・タイムに異なる経験ファクタに反応すること、
−  照明が、ユーザの実際のニーズに応じて、効率的に管理されることになるので、エネルギー消費を節約すること、
−  常にリモートに管理され得る情報をリアル・タイムに提供するマップを取得すること
を成功裏に達成する。
【００３４】
本発明のデバイスと、方法とは、ワイファイ（ＷｉＦｉ（登録商標））又はブルートゥース（Ｂｌｕｅｔｏｏｔｈ（登録商標））のＭＡＣアドレスを使用して特定のモバイル電話を曖昧さを残すことなく識別すること、及び店のエリアにおける特定の人の存在にその結果として関連づけることを可能にする。そのような識別情報は、全体的に匿名にし、又は人がそれを許可する場合には、カスタマイズされる可能性がある。
【００３５】
曖昧でない識別情報のおかげで、すべてのセンサは、物理空間において、電話又はモバイル・デバイスを追跡し、すべての種類のデータを収集し、また最終的に、それが進むエリアの照明に対してリアル・タイムに決定を行うこともできる。例えば、それは、以下のことを可能にする。すなわち、
−  顧客がそこに到着する前に、どこへモバイル・デバイスが進むかと、そのエリアにおいて照明がオンにされることとを予測することを可能にする。これは、その空間の近くの顧客の通過についてのシステムの履歴的知識のおかげで可能である。このアクティブ化は、顧客の存在に先立って漸進的に実行される可能性があり、視覚的に、知覚できない可能性があり、或いはそのときに、そのエリアへのクライアントの到着が検出される。
−  エリアにおける彼／彼女のモバイル・デバイスの存在に基づいて特定の顧客の好みに合わせて照明を調整することを可能にする。顧客の好みは、モバイル・アプリケーションからのアクティブな質問により、特定の顧客のための照明パラメータについてのシステムへの手動の入力により、又は与えられたエリアにおけるデバイスの存在に関連した好みの検出に基づいて受動的な推論により、明示的に検出される可能性がある。例えば、顧客が特定のエリアに入るとき、顧客の彼自身／彼女自身は、壁のレギュレータにより照明の強度を低下させ、パターンが、数回繰り返されているときに、ソフトウェアは、そのデバイスの好みと強度のレベルとの間に相互関係が存在することを推論することができ、またこのアクションは、それが、デバイスの存在を検出するときに、進められる可能性がある。
−  商用空間における各デバイスの移動（センサを通してデバイスについて監視することによる）に従って光度のレベルと、購入エリアにおける、又は任意の他のエリアにおけるその存在に関する顧客の動作、或いは小売業者によって分析される動作に、どのようにそれが影響を及ぼしているかとを理解することなど、顧客のある種の動作に強く相互に関連づけられる外部のファクタを推論することを可能にする。
【００３６】
上記をよりよく理解するために、非限定的な実例としてのみ、実用的な実施例を概略的に示す図面が、添付される。
【図面の簡単な説明】
【００３７】
【図１】本発明の照明デバイスのコンポーネントのブロック図である。
【図２】本発明の照明デバイスの制御手段のコンポーネントのブロック図である。
【図３】本発明の照明デバイスの照明素子のコントローラのブロック図である。
【図４】本発明の照明デバイスの照明モジュールのブロック図である。
【発明を実施するための形態】
【００３８】
図１は、本発明の照明デバイスのブロック図を示すものである。
【００３９】
この図に示され得るように、本発明のデバイスは、
−  参照番号１を用いて一般的に示され、複数の照明素子１０、例えば、発光ダイオード又は任意の適切な照明素子を備える照明モジュールと、
−  参照番号２を用いて一般的に示され、マイクロプロセッサ２０を備える制御手段と、
−  前記制御手段２に対してモバイル・デバイスから到来するデータを送信し、それ自体のＵＳＢコントローラを有することができる少なくとも１つの第１のセンサ３と、
−  ＵＳＢインターフェースを通して、又は任意の他のインターフェースを通して接続され得る１組の追加のセンサと、
−  参照番号４を用いて一般的に示され、制御手段２から到来する指示を受信し、前記照明モジュール１に対して対応する電流信号又は電圧信号を送信する照明コントローラと、
−  前記制御手段２に対してエネルギーを供給するエネルギー源５と
によって形成される。
【００４０】
前記１つ又は複数のセンサ３は、ワイファイ（ＷｉＦｉ（登録商標））・アンテナ、ブルートゥース（Ｂｌｕｅｔｏｏｔｈ（登録商標））・アンテナ、光センサ、温度センサ、湿度センサ、サウンド・センサ及び／又はカメラ、或いは任意の適切なセンサを備えることができることが、示される必要がある。
【００４１】
前記制御手段２は、図２を参照して以下で説明され、またそれらは、入出力接続２１、電源２２、照明素子インジケータ２３、並びに図示された実施例によれば、ＵＳＢポート２４、及びメモリ・カード２６のためのリーダ２５が接続されているマイクロプロセッサ２０を備えており、このメモリ・カードは物理媒体にデータを記憶することを可能にする。さらに、オペレーティング・システムが、メモリ・カード２６の中に含まれる可能性がある。
【００４２】
前記照明コントローラ４は、図３を参照して以下で説明され、前記照明コントローラは、マイクロスイッチ４１と、電磁インターフェース・フィルタ４２と、電力ファクタ補正器４３と、変換器４４とに接続されたマイクロコントローラ４０を備える。前記照明コントローラ４は、それを抜け出る電流又は電圧を構成することを可能にしており、この電流又は電圧を照明モジュール又は光源１に対して供給する。前記マイクロコントローラ４０は、電力ファクタ補正器４３と、変換器４４とを制御する。
【００４３】
図４に示される照明モジュール１は、次には、照明素子１０によって引き起こされる熱を放散するためのヒート・シンク１１と、照明素子が、その上に位置しているプリント回路基板１３と、前記照明素子によって放出される光が通過する光学素子１４とを備える。さらに、熱インターフェース材料１２は、ヒート・シンク１１と、プリント回路基板１３との間に配列される。異なる光学素子１４を使用することにより、放出された光に対して異なる角度とパターンとを提供することが、可能である。
【００４４】
照明モジュール１が、本発明のデバイスのコンポーネントの残りと、単一ブロックの形で統合されることは、絶対必要ではなく、もっと正確に言えば、照明モジュールは、それ自体の照明素子を提供される従来の照明器具である可能性があることが、示される必要がある。したがって、今日知られている任意の照明器具は、非常に単純なやり方で、本発明の照明デバイスへと変換される可能性がある。
【００４５】
その目的を達成するために、制御手段２と、１つ又は複数のセンサ３とは、天井の中にさえ埋め込まれた、任意のタイプの従来の照明器具に接続され得るケーシングの内側に配置される可能性がある。
【００４６】
本発明の照明デバイスのオペレーションは、以下のようである。
−  センサは、連続的な測定を実行し、
−  情報は、異なるモードで、すなわち、所定の間隔で、連続的なやり方で、又は特定のイベントに従って不連続なやり方で、センサから取り込まれ、
−  マイクロプロセッサは、すべてのセンサからデータを取り込み、ローカルにデータを処理し、有線接続又はワイヤレス接続を用いて、ローカル・ネットワークにおける外部サーバに対して、或いはサーバに対して直接にデータを送信する。
【００４７】
マイクロプロセッサは、センサのタイプに応じて変化させられ得る異なるモードで、また状況に応じて同じセンサのために使用され得る異なるモードで、センサからデータを取得する。共通のメカニズムは、以下のようであり、すなわち、
−  時間通りに読み取られた連続的なメトリクスを用いて、すなわち、
ａ）温度及び湿度のセンサ、
ｂ）サウンド・センサ、
ｃ）光センサ（カラー、強度、及び色の再現）
である。
−  連続的なメトリクスを用いて、また取得されたデータの分析を通して、すなわち、
ａ）ワイファイ（ＷｉＦｉ（登録商標））・デバイス又はブルートゥース（Ｂｌｕｅｔｏｏｔｈ（登録商標））・デバイスを検出すること用いて人々の存在を感知するためのセンサ、
ｂ）デバイスに接続されたカメラによって生成されるビデオ信号を分析することを用いて人々又は製品の存在を感知するためのセンサ
である。
【００４８】
人々の存在についての検出は、２つの異なるメカニズムを用いて、一方では、無線信号を放出するデバイスについてのアクティブなリスニングの結果として、また他方では、アクティブな問い合わせを用いて、ブルートゥース（Ｂｌｕｅｔｏｏｔｈ（登録商標））の場合におけるように、実行され、ここでは、マイクロプロセッサは、可視的な周囲を取り巻くデバイスからの応答を受信するブルートゥース（Ｂｌｕｅｔｏｏｔｈ（登録商標））・アンテナを用いて発見の伝送を実行するであろう。
【００４９】
アクティブなリスニングの場合には、本システムは、それらのおのおのにおける伝送を取り込むように、またデバイスの存在を識別するように、異なる信号範囲を交互に入れ替える。
【００５０】
取り込まれた信号の組は、有線を用いて、又はワイヤレスに、サーバの中のローカル・コンピュータ及び／又はリモート・コンピュータに対して送信され、ここでは前記信号の統合分析は、リアル・タイムに実行され、前記信号は、後続の分析のために記憶される。リアル・タイムの分析と、これらの分析との両方は、前記施設の照明システムを管理するための事後のサービスを実行している。例えば、より多数の、又はより少数の訪問者が存在している店のエリアは、前記信号に基づいて決定されて、訪問者の前記数に応じて光度を増大させ、又は減少させることができる。順に、最良のコンテキスト状態を明らかにする一致パターンが、特定の顧客の動作と、それゆえに情報とを生成するために検出されて、コンテキストに合わせて照明状態を適応させることを可能にする信号デバイスに対して送信される可能性もある。
【００５１】
この情報に基づいて、制御手段２は、それに応じて照明素子によって発生される照明を管理するための照明モジュール１に対して適切な信号を送信するコントローラ４に対して照明を送信する。
【００５２】
本発明によるいくつかの照明デバイスは、中央制御手段が、それに応じて施設の照明を管理するためのデバイスのネットワークを管理することになるように、施設の中に配置されることになることは、明らかである。
【００５３】
本発明の照明システムを管理するための方法は、最初に、施設におけるユーザの存在など、一連のパラメータ又は信号を検出するステップを含んでいる。
【００５４】
ユーザのこの存在は、ユーザ、彼ら自身のモバイル・デバイスを通して、例えば、ワイファイ（ＷｉＦｉ（登録商標））接続又はブルートゥース（Ｂｌｕｅｔｏｏｔｈ（登録商標））接続を通じた、彼らのモバイル電話を通して、検出される可能性がある。
【００５５】
さらに、本発明の方法においては、温度、湿度、ノイズ・レベル、輝度レベル、移動する物体及び／又は人々からの距離、外部のイベントなど、他のパラメータ又は信号もまた、検出される可能性がある。すべてのこれらのパラメータ又は信号は、光センサ、温度計、マイクロフォン、カメラ、有線若しくはワイヤレスのデータ・ネットワークなど、適切なセンサを用いて検出される可能性がある。
【００５６】
例えば、時々温度データをコンパイルし、レジスタのデータをローカルに、又はネットワーク・サービスの上で（ＨＴＴＰ要求、若しくは任意の他のネットワーク・プロトコルを通して）送信することができる照明器具の中に一体化されたマイクロプロセッサに基づいた温度センサは、温度及び湿度のレベルを検出するために使用される可能性がある。クロックは、測定が行われている正確な時刻を決定し、この時刻は、システムのこの１つのデータについて、また任意の他の１つのデータについて同じである必要がある。
【００５７】
さらに、時々ノイズ・レベル・データをコンパイルし、データをローカルに、又はネットワーク・サービスの上で（ＨＴＴＰ要求、若しくは任意の他のネットワーク・プロトコルを通して）送信することができる照明システムの中に一体化されたマイクロプロセッサに基づいた機器の中のマイクロフォンを使用して、ノイズ・レベルを検出することができる。
【００５８】
人々の存在を検出することは、アンテナからデバイスの推定された距離を推論する供給強度を含めて、ワイファイ（ＷｉＦｉ（登録商標））・デバイス又はブルートゥース（Ｂｌｕｅｔｏｏｔｈ（登録商標））・デバイスのサウンディング信号を検出することを開始することができる照明システムの中に一体化されたマイクロプロセッサに基づいたコンピュータにおいて、ワイファイ（ＷｉＦｉ（登録商標））・アンテナ又はブルートゥース（Ｂｌｕｅｔｏｏｔｈ（登録商標））・アンテナを手段としてインストールすることによって実行される可能性がある。情報は、時々、又は連続的なやり方で、記録され、データは、ローカルに、又はネットワーク・サービスの上で（ＨＴＴＰ要求、若しくは任意の他のネットワーク・プロトコルを通して）記録される。
【００５９】
照明レベルを検出することは、時々照明レベル・インジケータを収集し、データをローカルに、又はネットワーク・サービスの上で（ＨＴＴＰ要求、若しくは任意の他のネットワーク・プロトコルを通して）記録する照明システムと一体化されたマイクロプロセッサ基づいた機器において、センサ又はカメラを用いて実行される可能性がある。
【００６０】
移動する物体又は人々からの距離を検出することは、照明レベル・インジケータと、画像（連続的なビデオ又は画像）とを収集し、データをローカルに、又はネットワーク・サービスの上で（ＨＴＴＰ要求、若しくは任意の他のネットワーク・プロトコルを通して）記録する照明システムと一体化されたマイクロプロセッサに基づいた機器において、様々なカメラを手段として配置することによって実行される可能性がある。画像は、各モデルのエネルギー特性に応じて、センサそれ自体の中で、又は集信装置の中で処理される可能性がある。
【００６１】
さらに、本発明の方法によって動作させられるシステムは、ワイファイ（ＷｉＦｉ（登録商標））、ブルートゥース（Ｂｌｕｅｔｏｏｔｈ（登録商標））、ジグビー（Ｚｉｇｂｅｅ（登録商標））、ＰＬＣネットワーク、イーサネット（Ｅｔｈｅｒｎｅｔ（登録商標））又は任意の他の有線若しくはワイヤレスのネットワークを通しての他のセンサ及びデバイスに対する接続を用いて、その配信能力を増大させることになる。本システムはまた、ネットワーク接続、又は任意の他のタイプのネットワーク・プロトコルを通してイベントを受信することができるようになることもあり、またそれらが発生されるときにそれらを記録することになる。
【００６２】
すべてのこのデータは、システムの所有者に対して報告、相互関係、及びパターンを提供するデータベースにおいて統合される。すべてのこのデータは、構内の照明システムに対する即時のアクションを実行するためにリアル・タイムにデータを収集するための役割を担うことになるサーバのグループに対してインターネットを通して送信される可能性があり、さらに、それらはまた、警告を生成し、毎日決まってあらかじめ確立された報告を処理し、大量のコンパイルされたデータを利用して、例えば、販売と、販売測定ポイントとの間の動作パターンと、隠された相互関係とを提供するためのデータ・マイニング技法を使用して、極めて重要なインジケータを抽出し、分析するためのビジネス・インテリジェンス・アルゴリズムを実行することもできる。
【００６３】
とりわけ、以下のアクションが、すなわち、
−  照明をオン又はオフにすること、
−  光度を制御すること、
−  照明のカラーを変更すること、及び
−  変調されたやり方で、照明のパターンを変更すること
が、照明システムの中で実行される可能性がある。
【００６４】
以下は、すなわち、
−  空間の中で大衆の動きを検出すること（図１の中のマップを参照）、
−  匿名の顧客又はユーザの動作パターンを識別すること、
−  特定のイベントが起こる（例えば、特定の製品が、獲得され、又は試された）ときに、店の中の特定の位置にあったモバイル電話の動作を識別すること、
−  正確に同じ時間パターンの形の店のデータの状態（存在する人々、照明レベル、ノイズ・レベル、温度レベル）を有するある種のイベント（販売、製品を試してみることなど）と相互に関連づけられる状態を識別すること、
−  空間における照明の位置を自動的に分析すること、及び同じものを中央サーバに報告すること、
−場所における人々の存在に基づいてエネルギーを節約すること、
−  照明のオーバーラップに基づいてエネルギーを節約すること、
−  中央サーバにおいて、ノイズ・レベル・マップを生成するために必要な情報を取り込むこと、
−  中央サーバにおいて、温度マップを生成するために必要な情報を取り込むこと、
−  中央サーバにおいて、照明レベル・マップを生成するために必要な情報を取り込むこと、
−  壁の方を向いている人々に基づいて、壁の上の光投影をカスタマイズすること、並びに
−  空間の中の大衆の動きを検出すること
は、特に、本発明の方法を用いて実行される可能性がある。
【００６５】
顧客が、彼らのＭＡＣアドレスによって識別される彼らのモバイル・デバイスを（不可逆的数学的関数を使用した符号化を通して匿名的に）検査するときに、システムは、以下の情報を、すなわち、
−  各モバイル電話についての特定の期間における最初の１つの証拠と、最後の１つの証拠とを識別すること、及び平均を算出することを手段として用いた、平均の店訪問持続時間と、
−  １つのデバイス及び同じデバイスが店を訪問する頻度（異なる訪問における証拠の繰り返しを手段として検出することによる）と、
−  店のそばを通り、店に入る人々と、
−  店のそばを通り、店に入らない人々と、
−  他の動作パターンと
を決定することができるようになるので、顧客の動作パターンはまた、本発明の方法を用いて匿名的に識別される可能性もある。
【００６６】
イベント（購入、製品のテイスティングなど）と、モバイル電話の存在（ある種のセンサに対する近接性を通して検出される）を相互に関連づけることにより、モバイル電話と、したがって、それらのユーザとについての経路と、主要な動作特性とは、知られる可能性があり、照明システムに関連した決定をもたらす。それらの報告は、イベントが、起きた（例えば、顧客が、彼／彼女がテストされた製品を購入したときに、製品テイスティング・エリアのそばを通る）とき、或いは過去のイベント、又は将来のイベント（例えば、顧客が、５回よりも多く店を訪問した後に車を購入する）において、同じ訪問パターンを識別する。
【００６７】
この証拠は、経路パターン（そこでは、モバイル電話は、イベントの前にあった、そこでは、それは、イベントの後にあったなど）と、動作パターン（顧客が、購入する前に店を訪問した回数など）と、データの相互関係によって示され得る多数の他のパターンとについての情報を取得することを可能にするであろう。
【００６８】
この証拠はまた、同じ時間パターンにおける店の客観的状態（存在する人々、照明レベル、ノイズ・レベル、温度レベルなど）と、ある種のイベント（販売、製品を試してみることなど）を相互に関連づける状態を識別することを可能にする。
【００６９】
一般に、すべての説明されたメトリクスとデータとの非常に正確な相互関係が、それらのすべてが、同じ時間パターンで記録されることにより、確立される可能性があり、このようにして、ある種のイベントと、例えば、製品獲得と最もよく相互に関連のある理想的状態を決定している。
【００７０】
相互関係はまた、顧客が、例えば、店の中である種の経路を提供される場合、顧客が、より多くの製品を獲得するかどうかを示すこともできる。空間における照明の位置の分析は、自動的に実行され、中央サーバに対して報告される。
【００７１】
店の中の人々の存在についてのリアル・タイム・データに基づいて、本発明による方法によって動作させられるシステムは、光度を調整することができ、又は照明ポイントのうちのいくつかを非アクティブにすることさえできる。
【００７２】
本発明の方法を用いて、誰が壁の方を向いているかに応じて、インテリジェントな壁を生成することが可能であり、壁の方を向いている異なる個人によって行われるあらゆるステップを検出し、対応する照明効果を生成している。
【００７３】
本発明の別の利点は、照明と一体化された温度検出を可能にすることであり、照明レベルにかかわらず、それゆえにセンサによって検出される照明によって生成される熱にかかわらず、実際の構内の温度を達成している。
【００７４】
その技術的問題を解決するために、各照明器具モデルは、外部温度の全体の範囲における、また照明レベルの全体の範囲における制御された環境の中で測定され、各照明器具モデルのために、また特定の温度センサのために特有になる補正テーブルを発生している。
【００７５】
照明の光度を検出することを可能にするために、照明それ自体により、また他の照明により、又は自然光により生成される照明レベルは、分離される必要がある。本システムは、自動的に調整して、照明それ自体によって発生される照明レベル、周囲の照明及び自然光によって発生される照明レベルを決定することができるようになる。このプロセスは、新しい照明が、照明システムの中で検出されるたびごとに少なくとも一回、実行されることになる。
【００７６】
本システムは、店の中で（ワイヤレス・スキャンニングを通して、又はカメラ識別情報を通して）新しい照明の存在を自動的に検出することができるようになるので、本方法は、店が閉店されたときに、自動的に開始するであろう（本システムは、この情報を有するであろう）。
【００７７】
閉店された店において、理想的には夜間において決定する方法は、以下のようであり、すなわち、
−  すべての照明は、オフにされることになり、
−  自然光が、最初に測定されることになり、
−  第１の照明は、異なる強度レベルで、オンにされることになり、
−  第１の照明それ自体は、測定されることになり、自然に生成された光は、除外されることになり、
−  すべての他の照明もまた、測定されることになり、第１の照明が、各強度にあるときに、どのようにしてそれらが互いに相対的に相互作用するかについてのマップを生成しており、
−  第１の照明がオフにされることになり、
−  すべての他の照明が、異なる強度でオンにされることになり、
−  プロセスは、各照明について繰り返され、データベースと照明レベル・マップとを生成している。
【００７８】
この自動的な調整プロセスは、非アクティブにされる可能性があり、すべての測定値は、バックアップ・コピーとして、参照として保存されることになる。
【００７９】
ブルートゥース（Ｂｌｕｅｔｏｏｔｈ（登録商標））・デバイスを検出するために、本システムは、デバイス検出の問い合わせを生成し、デバイスが、呼び出しに応答することを可能にするように少なくとも１５秒にわたって待つであろう。
【００８０】
収集されたデータの匿名性を保証するために、本システムは、ＭＤ５ハッシュを生成することになり、デバイス識別子としてその不可逆的チェーンを記憶するだけであろう。
【００８１】
ワイファイ（ＷｉＦｉ（登録商標））・デバイスを検出するために、本システムは、プロミスキャス・モードでワイファイ（ＷｉＦｉ（登録商標））・アンテナをアクティブにし、異なるワイファイ（ＷｉＦｉ（登録商標））・ネットワーク・チャネルにおいてワイファイ（ＷｉＦｉ（登録商標））信号の証拠を収集するであろう。
【００８２】
収集されたデータの匿名性を保証するために、本システムは、ＭＤ５ハッシュを生成することになり、デバイス識別子としてその不可逆的チェーンを記憶するだけであろう。
【００８３】
すべてのセンサにおける測定値が、同期化されることを保証するために、センサは、同じローカル・ネットワークの中に位置しており、時間を確立するための役割を担うことになる集信装置に対して、リアル・タイムにすべてのデータを送信することになる。
【００８４】
照明システムをオン／オフにするための条件を決定するイベントの検出についてのいくつかの実例が、以下で説明される。
【００８５】
イベント：レストランにおけるあるテーブルには、しばらくの間、誰もいなかった（ワイファイ（ＷｉＦｉ（登録商標））、ブルートゥース（Ｂｌｕｅｔｏｏｔｈ（登録商標））、及び光の当たるところのカメラによって検出される）。アクション：そのテーブルのための照明レベルは、よりくつろいだ雰囲気を生成するのに役立つように低減される。
【００８６】
イベント：ある新しい顧客が、レストランに入り、空いているテーブルは、自動的にその照明を徐々にオンにし、顧客が入るように招待する。
【００８７】
参照が、本発明の特定の実施例に対して行われていることにもかかわらず、説明される照明デバイスと、管理方法とは、変形及び修正の影響を受けやすいこと、及びすべての述べられた詳細は、添付の特許請求の範囲によって規定される保護の範囲を逸脱することなく、他の技術的に同等の詳細で置換され得ることは、当業者には明らかである。
【図１】
2016510492.tif 000003
【図２】
2016510492.tif 000004
【図３】
2016510492.tif 000005
【図４】
2016510492.tif 000006
【国際調査報告】
2016510492.tif 000007
2016510492.tif 000008
2016510492.tif 000009
2016510492.tif 000010
2016510492.tif 000011